(57)【特許請求の範囲】
【請求項１】
インク滴を吐出するヘッドを搭載したキャリッジと、
記録媒体を搬送する搬送ベルトまたは搬送ローラと、
前記キャリッジをガイドロッドに沿って往復移動可能な第一の駆動モータと、
前記搬送ベルトまたは搬送ローラを回転可能な第二の駆動モータと、
前記キャリッジの減速エネルギーを前記搬送ベルトまたは搬送ローラに伝達するアシスト機構と、を備えたインクジェット記録装置であって、
印字モードに応じて設定された改行量だけ前記搬送ベルトまたは搬送ローラが前記アシスト機構によって回転するように前記キャリッジの停止位置を制御することを特徴とするインクジェット記録装置。
【請求項２】
前記第二の駆動モータの位置情報を取得するエンコーダと、
前記エンコーダの信号に基づいて前記搬送ベルトまたは搬送ローラの回転速度を算出するプログラムと、を備え、
前記アシスト機構を通じて前記キャリッジのエネルギーが前記第二の駆動モータに伝わり、回転を始め、前記搬送ベルトまたは搬送ローラが設定された閾値以上の回転速度になった時点で前記第二の駆動モータの駆動を開始する制御を実施することを特徴とする請求項１記載のインクジェット記録装置。
【請求項３】
前記第一の駆動モータの位置情報を取得する他のエンコーダと、
前記他のエンコーダの信号に基づいてキャリッジの速度を算出するプログラムと、を備え、
前記アシスト機構の復元力が前記キャリッジに伝わり、回転を始め、前記キャリッジが設定された閾値以上の速度になった時点で前記第一の駆動モータの駆動を開始する制御を実施することを特徴とする請求項１記載のインクジェット記録装置。
【請求項４】
変位した前記アシスト機構を元の位置に戻す弾性部材を備えることを特徴とする請求項１から３の何れかに記載のインクジェット記録装置。
【発明の詳細な説明】
【技術分野】
【０００１】
本発明は、インクジェット記録装置の消費電力を低減する技術に関するものである。
【背景技術】
【０００２】
インクジェットプリンタ（インクジェット記録装置）の消費電力内訳に関して、キャリッジを走査するモータ（主走査モータ）および紙送りを行うモータ（副走査モータ）の消費電力が大きな割合を占めていることが既に知られている。
【０００３】
また、モータの特性として、モータが停止している状態から回転し始めるときに大きな電流（ピーク電流）が必要になることが既に知られている。
【０００４】
特許文献１では、電力不足が生じないように電源装置の供給能力を削減する目的で、モータ駆動を開始する際に複数個のモータのピーク電力を確認して、ピーク電力が電源装置の供給可能な電力容量を超えない場合にモータ駆動を開始する構成が開示されている。
【０００５】
特許文献２では、給紙搬送部と副走査搬送部との間で種類の異なる複数の駆動源を用いて被記録媒体を搬送する場合に、記録速度の低下を伴ったり、或いは、駆動源としてコストの高いものを使わなければならなくなることを解消すべく、ＤＣブラシレスモータで構成した副走査モータの加速度テーブルとステッピングモータで構成した給紙モータの加速度テーブルを異ならせて、加速時の加速度を異ならせ、また、副走査モータの加速度よりも給紙モータの加速度を遅らせることで、加速時には、副走査モータは時点Ｔ１から時点Ｔ２までの間に加速度υａで立ち上げる一方、給紙モータは時点Ｔ１からＴ３までの間に加速度υｂで立ち上げる。
【０００６】
特許文献３では、キャリッジを側板に突き当ててホーム位置検出を行うとき、側板が衝撃で変形したり、検出精度が低下したり、キャリッジ速度を低速化することによってホーム位置検出に時間がかかることを解消すべく、キャリッジの側面には、キャリッジのホーム位置を検出するときに、キャリッジを固定部材としての装置筺体を構成する側板Ｒに突き当てる突き当て面ａを形成した突き当て部材を設け、装置筺体の側板Ｒには、キャリッジのホーム位置検出を行うときに、側板Ｒ側に向かって移動するキャリッジの移動速度をキャリッジの側面ａに当接することで減速させる減速手段を設けた。
【発明の概要】
【発明が解決しようとする課題】
【０００７】
しかし、今までの複数のモータの駆動タイミングをずらしてピーク電力を低減する手段では、ピークのタイミングをずらすのみのため、消費する電力自体は変わらず、印刷中の平均消費電力（印刷中に消費するトータルの電力）を低減することができないという問題があった。
【０００８】
また、上記の特許文献１等では、モータのピーク電力を抑制するに過ぎなく、ピーク電力と印刷中の平均消費電力（又は印刷中に消費するトータルの電力）の双方を低減することができないという問題は解消できていなかった。
【０００９】
本発明の目的は、ピーク電力と印刷中の平均消費電力（又は印刷中に消費するトータルの電力）の双方を低減することができるインクジェット記録装置を提供することにある。
【課題を解決するための手段】
【００１０】
請求項１に記載の発明は、インク滴を吐出するヘッドを搭載したキャリッジと、記録媒体を搬送する搬送ベルトまたは搬送ローラと、キャリッジをガイドロッドに沿って往復移動可能な第一の駆動モータと、搬送ベルトまたは搬送ローラを回転可能な第二の駆動モータと、キャリッジの減速エネルギーを搬送ベルトまたは搬送ローラに伝達するアシスト機構と、を備えたインクジェット記録装置であって、印字モードに応じて設定された改行量だけ搬送ベルトまたは搬送ローラがアシスト機構によって回転するようにキャリッジの停止位置を制御することを特徴とするインクジェット記録装置である。
【００１１】
請求項２に記載の発明は、請求項１記載のインクジェット記録装置において、第二の駆動モータの位置情報を取得するエンコーダと、エンコーダの信号に基づいて搬送ベルトまたは搬送ローラの回転速度を算出するプログラムと、を備え、アシスト機構を通じてキャリッジのエネルギーが第二の駆動モータに伝わり、回転を始め、搬送ベルトまたは搬送ローラが設定された閾値以上の回転速度になった時点で第二の駆動モータの駆動を開始する制御を実施することを特徴とする。
【００１２】
請求項３に記載の発明は、請求項１記載のインクジェット記録装置において、第一の駆動モータの位置情報を取得する他のエンコーダと、他のエンコーダの信号に基づいてキャリッジの速度を算出するプログラムと、を備え、アシスト機構の復元力がキャリッジに伝わり、回転を始め、キャリッジが設定された閾値以上の速度になった時点で第一の駆動モータの駆動を開始する制御を実施することを特徴とする。
【００１３】
請求項４に記載の発明は、請求項１から３の何れかに記載のインクジェット記録装置において、変位したアシスト機構を元の位置に戻す弾性部材を備えることを特徴とする。
【発明の効果】
【００１５】
本発明によれば、ピーク電力と印刷中の平均消費電力（又は印刷中に消費するトータルの電力）の双方を低減することができる。
【図面の簡単な説明】
【００１６】
【図１】本実施の形態のインクジェット記録装置の基本構成について説明する図である。
【図２】インクジェット記録装置の機能ブロックについて説明する図である。
【図３】キャリッジ（紙搬送ローラ（ベルト））の速度とモータ消費電流の関係について説明する図である。
【図４】具体的なキャリッジの減速エネルギーを搬送ベルトに伝達する機構について説明する図である。
【図５】具体的な印刷モードに応じたキャリッジ停止位置制御について説明する図である。
【図６】具体的なアシスト機構の動作と連動してモータ駆動を開始する制御について説明する図である。
【図７】具体的なアシスト機構の復元力を利用してキャリッジを駆動する構成について説明する図である。
【発明を実施するための形態】
【００１７】
以下、本発明の実施の形態について図を用いて詳細に説明する。
図１は、本実施の形態のインクジェット記録装置の基本構成について説明する図である。
【００１８】
キャリッジ１はガイドロット２で保持されて、主走査モータ３との間に渡されたプーリー４を介して主走査方向に走査する。
【００１９】
このキャリッジには、例えばイエロー(Y)、シアン(C)、マゼンタ(M)、ブラック(K)の各色のインク滴を吐出する記録ヘッド９が搭載されていて、記録ヘッドに配列されたインク吐出ノズル１０からインクを吐出できる。
【００２０】
キャリッジを主走査方向に移動させながら必要な位置でインク滴を吐出することによって記録媒体上に画像を形成する。
【００２１】
キャリッジの位置情報は筐体に固定されたエンコーダシート５に等間隔で記録されたパターンを、キャリッジに固定されたエンコーダセンサ６で移動しながら読み取ってカウントを加算／減算することで得る事ができる。このような主走査方向のキャリッジ移動とインク吐出動作を１回行うことで、ノズル列の長さと同じ幅のバンドに対して画像を形成することができ、１バンド分の画像形成が終了したら副走査モータ７を駆動して記録媒体を副走査方向に移動させて、再度１バンド分の画像形成動作をさせるように繰り返せば、記録媒体の任意の場所に画像を形成することができる。
【００２２】
図２は、インクジェット記録装置の機能ブロックについて説明する図である。
【００２３】
プリンタのハードウェア制御を行うファームウェアや記録ヘッドの駆動波形データはＲＯＭに格納されており、ホストＰＣから印刷ジョブ（画像データ）を受信すると、ＣＰＵは画像データをＲＡＭに格納し、記録ヘッドが搭載されたキャリッジを主走査制御部によって記録媒体上の任意の位置に移動する。
【００２４】
記録ヘッド制御部は、主走査エンコーダから得られるキャリッジの位置情報に連動し、ＲＡＭに格納された画像データ、ＲＯＭに格納された記録ヘッド駆動波形、および制御信号を記録ヘッド駆動部に転送する。
【００２５】
記録ヘッド駆動部は、記録ヘッド制御部より転送されたデータをもとに、記録ヘッドを駆動し、インク滴を吐出する。
【００２６】
図３は、キャリッジ（紙搬送ローラ（ベルト））の速度とモータ消費電流の関係について説明する図である。
【００２７】
モータの特性上、加速時（起動時）に大きな電流が必要となる。
また、インクジェットプリンタは、キャリッジと紙搬送を交互に駆動・停止を繰り返すため、モータ加速回数が多い。
さらに、インクジェットプリンタのモータの消費電力において、加速時（起動時）に消費する割合が多い。
【００２８】
図４は、具体的なキャリッジの減速エネルギーを搬送ベルトに伝達する機構について説明する図である。
【００２９】
構成としては、キャリッジ１が衝突することで押し込まれるラック１６と、ラック１６と噛み合って回転するギア１７と、押し込まれたラックを元の位置に戻すスプリング１５とを備えている。ギア１７と搬送ベルト１４はワンウェイクラッチで接続されており、紙搬送方向にギアが回転した場合のみ搬送ベルトが連動して回転する。なお、ラックがスプリングで戻る場合も、ギアが回転するがワンウェイクラッチが空転するため搬送ベルトは
回転しない。
【００３０】
動作としては、（１）キャリッジがラックを押し込む、（２）ラックと連動してギアが回転する、ギアと連動して搬送ベルトが回転する、（３）キャリッジが移動すると、スプリングによりラックが元の位置に戻る。
【００３１】
図５は、具体的な印刷モードに応じたキャリッジ停止位置制御について説明する図である。
【００３２】
インクジェットプリンタでは、印刷モード（画質）によって改行量（紙送り量）が異なる。例えば、高速モードでは、ヘッド幅分紙送りを実施し、高画質モードでは、ヘッド幅よりも短い量紙送りを実施してインク滴を重ねて印刷することで高画質化している。
【００３３】
印刷モードによって異なる改行量に合わせてキャリッジ停止位置を制御して、ラックの押し込み量を調整することで、副走査モータを駆動することなく搬送ベルトを回転させることができる。
【００３４】
改行時に搬送ベルト用のモータを駆動しないので、印刷中の平均消費電力を低減できる。
【００３５】
図６は、具体的なアシスト機構の動作と連動してモータ駆動を開始する制御について説明する図である。
【００３６】
アシスト機構を介してキャリッジのエネルギーを搬送ベルトに伝達する。
副走査エンコーダの信号を監視し、得られた信号から搬送ベルトの回転速度を算出する。
搬送ベルトの回転速度が閾値を超えたら副走査モータの駆動を開始する。
モータ起動時に必要な大きな消費電流を抑制することができる。すなわちピーク電流を抑制できる。
ピーク電流が低減でき、モータ駆動時間も短くなることから印刷中の平均消費電力も抑制できる。
アシスト機構を利用した改行量を小さくすることで、マシン幅を大きくせずに消費電力低減できる。
【００３７】
図７は、具体的なアシスト機構の復元力を利用してキャリッジを駆動する構成について説明する図である。
【００３８】
ラックを元の位置に戻すスプリングのバネ圧をキャリッジを移動可能な程度に高くする。
キャリッジがラック押し込み方向に動作中、または副走査モータが紙搬送方向に回転中はスプリングの復元力と反対方向に力が加わっているため、スプリングは復元しない。
キャリッジが停止、および副走査モータが停止すると（スプリングの復元力よりも力が弱くなると）、スプリングの復元力によってキャリッジがラック押し込み方向とは逆向きに駆動し始める。
主走査エンコーダの信号を監視し、得られた信号からキャリッジの速度を算出する。
キャリッジの速度が閾値を超えたら主走査モータの駆動を開始する。
スプリングの復元力によりキャリッジが一定速度になった状態で主走査モータの駆動を開始する。
モータ起動時に必要な大きな消費電流を抑制することができる（ピーク電流を抑制できる）。
ピーク電流が低減でき、モータ駆動時間も短くなることから印刷中の平均消費電力も抑制できる。
【００３９】
以下に、各請求項ごとの効果を記載する。
請求項１記載の発明によれば、キャリッジの減速エネルギーを利用して駆動モータＢの加速を行うことにより、モータ加速時に必要なピーク電流を抑制することができる。その結果、印刷中の平均消費電力（又は印刷中に消費するトータルの電力）も低減できる。また、駆動モータＢを動作させることなく改行動作を行うことができ、消費電力を低減できる。
【００４０】
請求項２記載の発明によれば、駆動モータＢが回転している状態から電流を流すことにより、加速時（起動時）に必要な大きな消費電流を抑制することができる。また、請求項１の構成では、一定量アシスト機構で搬送ベルトを回転させる必要があるためマシン幅が大きくなってしまうが、請求項２の構成では、従来の構成からマシン幅を大きく変えることなく実現することができる。
【００４１】
請求項３記載の発明によれば、駆動モータＡが回転している状態から電流を流すことにより、加速時（起動時）に必要な大きな消費電流を抑制することができる。
【００４２】
請求項４記載の発明によれば、キャリッジの減速エネルギーを駆動モータＢに伝達する際に変位した箇所を元に戻すことができる。
【００４４】
なお、上述する各実施の形態は、本発明の好適な実施の形態であり、本発明の要旨を逸脱しない範囲内において種々変更実施が可能である。
【符号の説明】
【００４５】
１    キャリッジ
２    ガイドロット
３    主走査モータ
４    プーリー
５    エンコーダシート
６    エンコーダセンサ
７    副走査モータ
９    記録ヘッド
１０    インク吐出ノズル
【先行技術文献】
【特許文献】
【００４６】
【特許文献１】特開２００８−１０９３４３号公報
【特許文献２】特許第４３２５９５６号公報
【特許文献３】特開２００７−３３１２７２号公報
【図１】
0005648441.tif 000002
【図２】
0005648441.tif 000003
【図３】
0005648441.tif 000004
【図４】
0005648441.tif 000005
【図５】
0005648441.tif 000006
【図６】
0005648441.tif 000007
【図７】
0005648441.tif 000008